【手続補正書】
【提出日】平成29年9月19日(2017.9.19)
【手続補正１】
【補正対象書類名】明細書
【補正対象項目名】０００６
【補正方法】変更
【補正の内容】
【０００６】
上記目的を達成するため、本発明に係る撮影装置は、
フォーカスを調整するフォーカス調整手段と、
撮影が指示された際の、前記フォーカス調整手段によりフォーカス調整された撮影対象物を特定する特定手段と、
前記特定手段により特定された撮影対象物に重みづけを設定する設定手段と、
前記特定手段により特定された撮影対象物に係る情報と、前記設定手段により設定された重みづけとに基づき、優先指数を取得する優先指数取得手段と、
前記優先指数取得手段により取得された優先指数に基づき、以後の撮影に関し、前記フォーカス調整手段の自動によるフォーカス調整を制御するフォーカス制御手段と、
を備える。
【手続補正２】
【補正対象書類名】特許請求の範囲
【補正対象項目名】全文
【補正方法】変更
【補正の内容】
【特許請求の範囲】
【請求項１】
フォーカスを調整するフォーカス調整手段と、
撮影が指示された際の、前記フォーカス調整手段によりフォーカス調整された撮影対象物を特定する特定手段と、
前記特定手段により特定された撮影対象物に重みづけを設定する設定手段と、
前記特定手段により特定された撮影対象物に係る情報と、前記設定手段により設定された重みづけとに基づき、優先指数を取得する優先指数取得手段と、
前記優先指数取得手段により取得された優先指数に基づき、以後の撮影に関し、前記フォーカス調整手段の自動によるフォーカス調整を制御するフォーカス制御手段と、
を備える撮影装置。
【請求項２】
前記優先指数取得手段は、撮影が指示された前記特定手段により特定された撮影対象物の優先指数を増加させ、
撮影が指示されなかった前記特定手段により特定された撮影対象物の優先指数を減少させる、
ことを特徴とする請求項１に記載の撮影装置。
【請求項３】
前記優先指数取得手段は、前記特定手段により特定された撮影対象物に係る情報を順次記憶する、
ことを特徴とする請求項１又は２に記載の撮影装置。
【請求項４】
前記特定手段は、
前記撮影が指示された際に取得された撮像画像から前記フォーカス調整手段により調整されたフォーカスに係る情報を取得するフォーカス情報取得手段を備え、
前記フォーカス情報取得手段は、前記フォーカス調整手段によるフォーカス調整が自動であるか手動であるかによらず、前記撮影が指示された際の、該フォーカス調整手段により調整されたフォーカスに係る情報を取得する、
ことを特徴とする請求項１から３のいずれか１項に記載の撮影装置。
【請求項５】
前記フォーカス制御手段は、
前記優先指数取得手段により取得された優先指数に基づき、撮像画像内から撮影対象物を検出する検出手段を備え、
前記検出手段により検出された撮影対象物にフォーカスを調整するように前記フォーカス調整手段を制御する、
ことを特徴とする請求項１から４のいずれか１項に記載の撮影装置。
【請求項６】
前記フォーカス調整手段の自動によるフォーカス調整の一は、撮像画像を解析することにより撮影対象物を自動的に検出してフォーカスを調整する自動フォーカス調整方法によるものであって、
前記フォーカス制御手段は、
前記自動フォーカス調整方法によるフォーカス調整よりも、前記優先指数取得手段により取得された優先指数に基づくフォーカス調整を優先するように、前記フォーカス調整手段を制御する、
ことを特徴とする請求項１から５のいずれか１項に記載の撮影装置。
【請求項７】
前記特定手段は、前記撮影が指示された際に、前記自動フォーカス調整方法で検出された撮影対象物にフォーカス調整されていた場合は、該撮影対象物を前記優先指数取得手段により優先指数を取得すべき撮影対象物として特定する、
ことを特徴とする請求項６に記載の撮影装置。
【請求項８】
前記特定手段は、フォーカス調整方法の変更指示が行われた場合に、変更指示前における前記フォーカス調整手段の自動によるフォーカス調整でフォーカス調整された撮影対象物を特定し、
前記優先指数取得手段は、前記特定手段により特定された前記変更指示前における撮影対象物の優先指数を取得し、
前記フォーカス制御手段は、前記優先指数取得手段により取得された前記変更指示前における撮影対象物の優先指数に基づき、前記変更指示前における撮影対象物をフォーカスから除外するように、前記フォーカス調整手段を制御する、
ことを特徴とする請求項１から７のいずれか１項に記載の撮影装置。
【請求項９】
前記フォーカスに係る情報として、前記撮影が指示された際のフォーカス対象物の種別、フォーカス距離、撮像画像内における該フォーカス対象物の位置、及び、該撮像画像内における該フォーカス対象物の占有面積率、の少なくとも１つが含まれる、
ことを特徴とする請求項４に記載の撮影装置。
【請求項１０】
複数のフォーカス調整モードの中から選択された一のフォーカス調整モードによりフォーカスを調整するフォーカス調整手段と、
前記フォーカス調整モードの変更が指示された際の、前記フォーカス調整手段により調整されたフォーカスに係る情報を取得する取得手段と、
前記取得手段により取得されたフォーカスに係る情報に基づき、撮影対象物を特定する特定手段と、
前記特定手段により特定された撮影対象物に係る情報を記憶部に記憶する学習手段と、
前記記憶部に記憶されている撮影対象物に係る情報に基づき、以後の撮影に関し、前記フォーカス調整手段の自動によるフォーカス調整を制御するフォーカス制御手段と、
を備える撮影装置。
【請求項１１】
前記フォーカス制御手段は、前記フォーカス調整モードの変更が指示された際に前記特定手段により特定された撮影対象物に、自動でフォーカス調整する優先度を下げるように、フォーカス調整手段を制御する、
ことを特徴とする請求項１０に記載の撮影装置。
【請求項１２】
撮像画像を解析することにより対象物を自動的に検出してフォーカス制御を行うインテリジェント・オートフォーカスによるフォーカス調整機能を有する撮影装置であって、
前記インテリジェント・オートフォーカスによるフォーカス調整を行うモードにおいて、該インテリジェント・オートフォーカスによるフォーカス調整より優先して、前記撮像画像内の特定の位置にフォーカス調整する指示を行う指示手段を、
備える撮影装置。
【請求項１３】
撮影装置における撮影方法であって、
フォーカス調整を行うフォーカス調整処理と、
撮影が指示された際の、前記フォーカス調整処理によりフォーカス調整された撮影対象物を特定する特定処理と、
前記特定処理により特定された撮影対象物に重みづけを設定する設定処理と、
前記特定処理により特定された撮影対象物に係る情報と、前記設定処理により設定された重みづけとに基づき、優先指数を取得する優先指数取得処理と、
前記優先指数取得処理により取得された優先指数に基づき、以後の撮影に関し、前記フォーカス調整処理の自動によるフォーカス調整を制御するフォーカス制御処理と、
を含む撮影方法。
【請求項１４】
コンピュータに、
フォーカス調整を行うフォーカス調整機能、
撮影が指示された際の、前記フォーカス調整機能によりフォーカス調整された撮影対象物を特定する特定機能、
前記特定機能により特定された撮影対象物に重みづけを設定する設定機能、
前記特定機能により特定された撮影対象物に係る情報と、前記設定機能により設定された重みづけとに基づき、優先指数を取得する優先指数取得機能、
前記優先指数取得機能により取得された優先指数に基づき、以後の撮影に関し、前記フォーカス調整機能の自動によるフォーカス調整を制御するフォーカス制御機能、
を実現させることを特徴とするプログラム。
【請求項１５】
撮影装置における撮影方法であって、
複数のフォーカス調整モードの中から選択された一のフォーカス調整モードによりフォーカスを調整するフォーカス調整処理と、
前記フォーカス調整モードの変更が指示された際の、前記フォーカス調整処理により調整されたフォーカスに係る情報を取得する取得処理と、
前記取得処理により取得されたフォーカスに係る情報に基づき、撮影対象物を特定する特定処理と、
前記特定処理により特定された撮影対象物に係る情報を記憶部に記憶する学習処理と、
前記記憶部に記憶されている撮影対象物に係る情報に基づき、以後の撮影に関し、前記フォーカス調整処理の自動によるフォーカス調整を制御するフォーカス制御処理と、
を含む撮影方法。
【請求項１６】
コンピュータに、
複数のフォーカス調整モードの中から選択された一のフォーカス調整モードによりフォーカスを調整するフォーカス調整機能、
前記フォーカス調整モードの変更が指示された際の、フォーカス調整機能により調整されたフォーカスに係る情報を取得する取得機能、
前記取得機能により取得されたフォーカスに係る情報に基づき、撮影対象物を特定する特定機能、
前記特定機能により特定された撮影対象物に係る情報を記憶部に記憶する学習機能、
前記記憶部に記憶されている撮影対象物に係る情報に基づき、以後の撮影に関し、前記フォーカス調整機能の自動によるフォーカス調整を制御するフォーカス制御機能、
を実現させることを特徴とするプログラム。